(57)【要約】【課題】  障子紙の張り替えも容易にでき、障子だけでなく照明のフードや衝立，間仕切り等の空間を演出する様々な道具に適用が可能な障子形建具を提供する。【解決手段】  枠体１０の開口部に、紙，布又は樹脂で形成された障子部材１１を張り付けてなる障子形建具において、前記枠体を構成する枠部材１０１，１０２のうち、対向する一方の枠部材又は両方の枠部材に、前記障子部材の端部を引っ張りつつ固定する固定部１０３を設けるとともに、前記枠部材の間に、前記障子部材の面を押圧する又は引っ張る押引部材１５とこの押引部材を支持する支持桟１３とを設け、前記固定部と前記押引部材との間及び前記押引部材どうしの間で前記障子部材が接触する面の高さ位置を変えることで、前記障子部材に面張力を付与する構成としてある。【選択図】  図１
2011219976.tif 000002
【特許請求の範囲】
【請求項１】
枠体の開口部に、紙，布又は樹脂で形成された障子部材を張り付けてなる障子形建具において、
前記枠体を構成する枠部材のうち、対向する一方の枠部材又は両方の枠部材に、前記障子部材の端部を引っ張りつつ固定する固定部を設けるとともに、
前記枠部材の間に、前記障子部材の面を押圧する又は引っ張る押引部材とこの押引部材を支持する支持桟とを設け、
前記固定部と前記押引部材との間及び前記押引部材どうしの間で前記障子部材が接触する面の高さ位置を変えることで、前記障子部材に面張力を付与すること、
を特徴とする障子形建具。
【請求項２】
前記固定部が、前記障子部材の一端部を差し込むための溝と、この溝に前記障子部材を押し込む嵌合部材とを有すること、
を特徴とする請求項１に記載の障子形建具。
【請求項３】
前記押引部材が、突出量を調整可能に前記支持桟に設けられていることを特徴とする請求項１又は２に記載の障子形建具。
【請求項４】
前記押引部材が、一方の前記枠部材と他方の前記枠部材の間に所定間隔で配置された複数の桟で、この桟と桟の間を、前記一方の枠部材から前記他方の枠部材まで、波状に前記障子部材を張り渡したことを特徴とする請求項１又は２に記載の障子形建具。
【発明の詳細な説明】
【技術分野】
【０００１】
本発明は、枠体の開口部に紙，布又は樹脂で形成された障子部材を張り付けてなる障子形建具に関する。
【背景技術】
【０００２】
障子紙の張り替えを容易にしようとする試みはかなり古くからなされており、例えば、特許文献１（実用新案公告５５９１号公報）には、内枠と外枠との間に障子紙を挟み込んで固定することが提案されている。
また、特許文献２（特開２００６−３７７０１号公報）に記載の発明は、障子紙を挟むだけで障子紙の張り替えができるようにしたもので、障子を内枠に固定して、この内枠を外枠に嵌め込むものが開示されている。
さらに、特許文献３（特開２００５―３０１７３号公報）には、サッシの網戸と同様に、外枠の内側にパッキンを設けて障子紙を固定したものが開示されている。
【先行技術文献】
【特許文献】
【０００３】
【特許文献１】実用新案公告５５９１号公報
【特許文献２】特開２００６−３７７０１号公報
【特許文献３】特開２００５―３０１７３号公報
【発明の開示】
【発明が解決しようとする課題】
【０００４】
これら文献に記載の発明は、障子紙の張り替えを容易にするという点で注目すべきものではあるが、未だ障子紙を容易に張り替えたいとする消費者の要望は高い。さらに、障子は、太陽光や照明の光を拡散しつつ和らげ、癒しの空間を演出する道具として近年注目されている。
そこで本発明は、癒し空間に最適なデザイン性を備えるとともに、障子紙の張り替えも容易にでき、障子だけでなく照明のフードや衝立，間仕切り等の空間を演出する様々な道具に適用が可能な障子形建具の提供を目的とする。
【課題を解決するための手段】
【０００５】
上記課題を解決するために、請求項１に記載の発明は、枠体の開口部に、紙，布又は樹脂で形成された障子部材を張り付けてなる障子形建具において、前記枠体を構成する枠部材のうち、対向する一方の枠部材又は両方の枠部材に、前記障子部材の端部を引っ張りつつ固定する固定部を設けるとともに、前記枠部材の間に、前記障子部材の面を押圧する又は引っ張る押引部材とこの押引部材を支持する支持桟とを設け、前記固定部と前記押引部材との間及び前記押引部材どうしの間で前記障子部材が接触する面の高さ位置を変えることで、前記障子部材に面張力を付与する構成としてある。
この構成の障子形建具では、まず、枠部材と枠部材の間に障子部材を載せ、その両端を固定部で引っ張りつつ固定する。これにより、障子部材は押引部材と固定部との協働によりテンションが付与され、ピンと張った状態で枠体の開口に張り付けられる。
なお、押引部材は、障子部材の面にテンションを付与することができればよいから、障子部材の面を押すものでも引っ張るものでもよい。隣り合う押引部材間又は固定部と押引部材との間で障子部材の面と接触する位置の高さを変えることで、前記のテンションを付与することができる。
【０００６】
前記固定部は、障子部材に張り方向に引張力を付与することができればよく、例えば、請求項２に記載するように、前記障子部材の一端部を差し込むための溝と、この溝に前記障子部材を押し込む嵌合部材とを有するものとしてもよい。
また、押引部材は、請求項３に記載するように、突出量を調整可能に前記支持桟に設けられているものとしてもよい。このようにすることで、障子部材の張り具合を自在に調整することができる。
また、請求項４に記載するように、前記押引部材が、一方の前記枠部材と他方の前記枠部材の間に所定間隔で配置された複数の桟で、この桟と桟の間を、前記一方の枠部材から前記他方の枠部材まで、波状に前記障子部材を張り渡した構成としてもよい。
【発明の効果】
【０００７】
本発明によれば、障子部材を枠体の開口にピンと状態で簡単に張り付けることができる。また、障子部材の交換も容易である。
さらに、本発明の障子形建具では、障子部材が立体状に枠体の開口に張り付けられるので、今までに無い新しいデザイン及びイメージの障子形建具を得ることができ、障子に限らず、照明のフードや衝立等の他の分野に広く適用されることで、室内のイメージを変えることができる。また、障子形建具の需要拡大により、和紙産業や建具産業の発展に寄与することができる。
【発明を実施するための最良の形態】
【０００８】
以下、本発明の好適な実施形態を、図面を参照しながら詳細に説明する。
図１は、本発明を障子に適用した第一の実施形態にかかり、その構成を説明する障子の一部を省略した分解斜視図、図２は、図１の障子のＩ−Ｉ断面図である。
図１に示すように、障子１は、縦枠１０１と横枠１０２を組み合わせて開口矩形状に形成した枠体１０と、この枠体１０の開口内部に格子状に組み付けられた桟１３とを主な構成要素とする。
【０００９】
縦枠１０１及び横枠１０２には、長手方向に溝１０３が形成されている。また、この溝１０３に嵌め込まれる嵌合部材１２を準備する。嵌合部材１２は、障子紙１１を介在させた状態で溝１０３に締まり嵌め状態で嵌め込むことができる寸法に形成するとともに、障子１１の張り替えが容易にできるように、溝１０３に嵌め込んだ後も、容易に取り外せるように、爪や孔，切欠き等を一部に形成しておくとよい。
【００１０】
また、格子状に組まれた桟１３と桟１３の交点の複数箇所には、押引部材１５が設けられている。押引部材１５は、図２に示すように、障子紙１１と接する球面状の頭部１５１と、この頭部１５１と一体に形成された螺旋軸１５２とを有し、螺旋軸１５１の一端には、押引部材１５を回転させるための図示しないレンチを差し込むレンチ孔１５３が形成されている。
【００１１】
上記構成の押引部材１５は、桟１３と桟１３の交点に貫通形成された螺旋孔１３１に螺旋軸１５２が螺入され、レンチ孔１５３に差し込んだレンチによって回転させることで、溝１０３を形成した縦枠１０１の表面に対する頭部１５１の突出量を自在に調整することが可能である。
そして、図２に示すように、隣り合う押引部材１５の頭部１５１の高さを互いに変えることで（仮想線IIで示す場合の他、桟１３の反対側に押引部材１５を取り付けた仮想線IIIで示す場合も含む）、隣り合う押引部材１５の間でも障子紙１１にテンションを付与することができる。なお、一つの押引部材１５の頭部１５１の高さ位置を、周囲の押引部材１５の頭部１５１よりも低くする場合（図２の実線Ｉで示す場合）は、接着材やビス等を用いて頭部１５１に障子紙１１を取り付けなければならないことは言うまでもない。
この実施形態における障子部材としての障子紙１１は、紙（和紙又は洋紙）で形成されたものであるが、本発明の障子形建具では、樹脂や布で形成された他の障子部材を使用することももちろん可能である。
【００１２】
障子紙１１の枠体１０への張り付けは、以下の手順で行う。
まず、縦枠１０１の表面に対する頭部１５１の突出高さを最小にした状態で、枠体１０及び桟１３の上に障子紙１１を被せる。このとき、障子紙１１の端縁が縦枠１０１及び横枠１０２の溝１０３に掛かるようにする。
この状態で、障子紙１１の一端を溝１０３に押し込むように、嵌合部材１２を溝１０３に嵌め込む。これにより、障子紙１１はある程度ピンと張った状態で枠体１０に張り付けられるが、押引部材１５の頭部１５１の突出量を調整することで、障子紙１１の張力を自在に調整することができる。
【００１３】
押引部材１５の突出量は、複数の押引部材１５の全てにおいて均一としてもよいが、突出量を異ならせることで、例えば、縦枠１０１や横枠１０２の近くに配置された押引部材１５の突出量を小さく、開口の中央に向かうほど大きくすることで、障子紙１１を山形に枠体１０に張り付けることができ、障子１に立体感を与えることができる。また、押引部材１５の頭部１５１と障子紙１１とを接着し、複数の押引部材１５の突出量をばらばらにすることで、あたかも氷の表面のような幾何学的立体模様を障子１に浮かび上がらせることも可能になる。
なお、押引部材１５の数及び配置は、上記したような障子１の立体造形に合わせて自在に選択することができ、図１に示すように複数の押引部材１５を均等間隔で配置してもよいし、不均等間隔で配置してもよい。
【００１４】
図３及び図４は本発明の他の実施形態にかかり、図３はこの実施形態の障子の構成を説明する一部を省略した分解斜視図、図４は、図３の障子のＩ−Ｉ断面図である。
この実施形態の枠体１０の基本構成は、先の実施形態のものとほぼ同じであるので、図３及び図４において同一箇所には同一の符号を付して説明を省略し、異なる部分，部材には「′」を付して示すものとする。
この実施形態では、縦枠１０１の表裏両面に溝１０３′が形成されていて、図３中の仮想線で示すような短冊状の障子紙１１を、列方向に配置された桟１３の間にジグザグ状に張り渡して行く。図示の例では、桟１３一列置きに、障子紙１１を枠体１０の表から裏、裏から表へと入れ替えているが、二列置きであってもよいし、一列置きと二列置きを交互に繰り返すようにしてもよい。
障子紙１１の張り渡しは、上下方向に配置された桟１３の各段ごとに行う。図３に示すように、各段ごとに表裏の入れ替えを互い違いにしてもよいし、表裏の入れ替えを全段で同じにしてもよい。数段ごと又は不定段ごとに表裏の入れ替えを互いに違いにしてもよい。
この実施形態では、桟１３が、障子紙１１を押圧する押引部材を構成する。
【００１５】
障子紙１１の両端は、先の実施形態と同様に溝１０３′に差し込み、その上から嵌合部材１２を溝１０３′に嵌め込むことで、障子紙１１を両端から引っ張る。このようにすることで、図３及び図４に示すように、障子紙１１が桟１３ごとにジグザグ状に波打つ障子１′を得ることができる。
【００１６】
本発明の好適な実施形態について説明したが、本発明は上記の実施形態に限定されるものではない。
例えば、図３及び図４の実施形態のさらに他の実施形態として、例えば図５に示すように、一つの段内で、複数（図５の例では上下二つ）の障子紙１１のそれぞれが、互いに違いに表裏が入れ替わるようにしてもよい。
また、上記の説明では左右方向に障子紙（障子部材）を張り渡しているが、上下方向に障子紙を張り渡してもよく、桟１３を斜めに設けることで、障子紙を斜めに張り渡すことも可能である。
【産業上の利用可能性】
【００１７】
本発明は、枠体に紙，布又は樹脂で形成された障子部材を張り付けてなるものであれば、障子に限らず、障子風に形成された衝立や間仕切り，照明のフード等の障子形建具に広く適用が可能である。
【図面の簡単な説明】
【００１８】
【図１】本発明を障子に適用した第一の実施形態にかかり、その構成を説明する障子の一部を省略した分解斜視図である。
【図２】図１の障子のＩ−Ｉ断面図である
【図３】本発明の他の実施形態にかかり、この実施形態の障子の構成を説明する一部を省略した分解斜視図である。
【図４】図３の障子のＩ−Ｉ断面図である。
【図５】本発明のさらに他の実施形態にかかり、この実施形態の障子の構成を説明する一部を省略した分解斜視図である。
【符号の説明】
【００１９】
１        障子
１０      枠体
１０１    縦枠
１０２    横枠
１０３    溝
１１      障子紙（障子部材）
１２      嵌合部材
１３      桟
１５      押引部材
【図１】
2011219976.tif 000003
【図２】
2011219976.tif 000004
【図３】
2011219976.tif 000005
【図４】
2011219976.tif 000006
【図５】
2011219976.tif 000007